(57)【特許請求の範囲】
【請求項１】
ハロゲン化銀カラー写真感光材料のカラー現像組成物において、カラー現像組成物が複数の濃縮液パートから成り、複数の濃縮液パートのうち少なくとも１パートが、トリアジニル−４，４′−ジアミノスチルベン系蛍光増白剤を含有し、トリイソプロパノールアミンを０．３モル／リットル以上含有し、かつ芳香族第１級アミンカラー現像主薬を含有しない濃縮液組成物であることを特徴とするカラー現像用組成物。
【請求項２】
該トリアジニル−４，４′−ジアミノスチルベン系蛍光増白剤含有濃縮液パートがナトリウムイオンを０．０２モル／リットル以上含有することを特徴とする請求項１記載のカラー現像用組成物。
【請求項３】
該トリアジニル−４，４′−ジアミノスチルベン系蛍光増白剤含有濃縮液パートが塩化物イオンを０．０２モル／リットル以上含有することを特徴とする請求項１又は２記載のカラー現像用組成物。
【請求項４】
該トリアジニル−４，４′−ジアミノスチルベン系蛍光増白剤含有濃縮液パートがN，N−ジエチルヒドロキシルアミンを０．３モル／リットル以上含有することを特徴とする請求項１、２及び／又は３記載のカラー現像用組成物。
【請求項５】
ハロゲン化銀写真感光材料のカラー現像用処理剤であって、該カラー現像用処理剤に含まれるカラー現像用組成物が複数の濃縮液パートから成り、複数の濃縮液パートのうち少なくとも1パートが、トリアジニル−４，４'−ジアミノスチルベン系蛍光増白剤を含有し、トリイソプロパノールアミンを０．３モル／リットル以上含有し、かつ芳香族第1級アミンカラー現像主薬を含有しない濃縮液組成物であり、酸素透過性が５０ｍｌ／ｍ2・ｄａｙ・ａｔｏｍ（２０℃、６５ＲＨ％）以下の包材の容器に収納されていることを特徴とするカラー現像用処理剤。
【発明の詳細な説明】
【０００１】
【発明の属する技術分野】
本発明は、ハロゲン化銀カラー写真感光材料用カラー現像組成物に関し、特に蛍光増白剤の安定性、溶解性が向上し、防カビ性に優れたカラー現像用濃縮液パート組成物に関する。
【０００２】
【従来の技術】
ハロゲン化銀カラー写真感光材料の処理は、基本的にはカラー現像と脱銀工程から成り、脱銀は漂白と定着工程あるいはこれらと併用もしくは単独で用いる一浴漂白定着工程より成っている。必要によりこの他に付加的な工程、すなわち水洗、停止処理、安定化処理、現像促進の為の前処理等が加えられる。
【０００３】
一般的には、上記処理工程の処理液は連続的に使用されるため、連続処理により失われた成分を補給し、あるいは感光材料から溶出した成分を稀釈することを目的として補充液を必要量処理タンクに補充する方法が行なわれている。
【０００４】
上記補充液の調液簡便化を目的として、通常複数のパートに分割した濃縮液として貯蔵し、使用直前に一定量の水に対して、分割した濃縮液を混合溶解する方法がとられている。一般に、カラープリントは、国際特許公開ＷＯ８７−０４５３４号に記載のある様にベンジルアルコールを含有しないカラー現像液が用いられている。カラー現像補充液は、通常３つのパートの濃縮液に分割されている。その内容は、欧州特許ＥＰ０６７５４０６Ａ１号に記載のある様に、保恒剤、蛍光増白剤を含有するＡパート、現像主薬を含有するＢパート、アルカリ及びｐＨ緩衝剤を含有するＣパートである。
【０００５】
近年、環境対応を目的に補充量の低減が進められて来た。補充量の低減は、必然的に補充液及び上記分割濃縮液の濃度増加が必要となり、分割濃縮液の更なる濃縮化、安定化が強く望まれている。
カラー現像液のパートの中でも、特に前記蛍光増白剤を含有する濃縮液パートでの以下の問題は、従来技術では解決できず、技術開発が強く望まれていた。
▲１▼  蛍光増白剤の溶解性が悪く、濃縮液の低温保存において析出が発生する。
▲２▼  蛍光増白剤の安定性が悪く、濃縮液の高温保存において蛍光増白剤が減少する。
▲３▼  蛍光増白剤含有濃縮液は、長期保存でカビが発生しやすい。
【０００６】
▲１▼及び▲２▼の蛍光増白剤の溶解性、安定性の問題に対し、日本公開特許である特開平２−７１２６４号に、蛍光増白剤とヒドロキシルアミンを水を主成分とする溶媒に混合する方法及び蛍光増白剤溶液にエチレングリコール、トリエタノールアミンを混合する方法が開示されている。しかし、これらの効果は十分でなく、かつ、溶解性と安定性が両立するものでもなく、更にカビが発生しやすくなるという悪影響をもたらすものであり、問題の解決には致っていない。
【０００７】
▲３▼のカビ発生の問題に対し、日本公開特許である特開昭５４−２７４２４号等にベンゾイソチアゾロン化合物による防菌防カビ技術等が開示されている。
しかし、上記化合物の防菌防カビは十分であるが、写真特性に悪影響を与えるためカラー現像液に添加できるものではなかった。
防菌防黴剤事典（日本防菌防黴学会編／昭和６１年発行）に、数多くの殺菌、防カビ剤が知られているが、ハロゲン化銀写真分野においては、必ずしも多くのものが知られておらず、それらについても写真特性や、画像保存性に悪影響を与えることなく防カビ作用も満足するものとなるとなかなかないのが現状であった。
【０００８】
【発明が解決しようとする課題】
従って本発明の第１の目的は、蛍光増白剤の安定性及び溶解性が著しく向上したカラー現像用濃縮液パートを供給することにある。
本発明の第２の目的は、防カビ性に優れたカラー現像用蛍光増白剤含有濃縮液パートを提供することにある。
【０００９】
【課題を解決するための手段】
本発明者らは、上記課題について検討した結果、その目的が以下に示す方法により達成できることを見い出した。
【００１０】
（１）  ハロゲン化銀カラー写真感光材料のカラー現像組成物において、カラー現像組成物が複数の濃縮液パートから成り、複数の濃縮液パートのうち少なくとも１パートが、トリアジニル−４，４′−ジアミノスチルベン系蛍光増白剤を含有し、トリイソプロパノールアミンを０．３モル／リットル以上含有し、かつ芳香族第１級アミンカラー現像主薬を含有しない濃縮液組成物であることを特徴とするカラー現像用組成物。
（２）  該トリアジニル−４，４′−ジアミノスチルベン系蛍光増白剤含有濃縮液パートがナトリウムイオンを０．０２モル／リットル以上含有することを特徴とする（１）記載のカラー現像用組成物。
（３）  該トリアジニル−４，４′−ジアミノスチルベン系蛍光増白剤含有濃縮液パートが塩化物イオンを０．０２モル／リットル以上含有することを特徴とする（１）及び／または（２）記載のカラー現像用組成物。
（４）  該トリアジニル−４，４′−ジアミノスチルベン系蛍光増白剤含有濃縮液パートがN，N−ジエチルヒドロキシルアミンを０．３モル／リットル以上含有することを特徴とする（１）、（２）及び／又は（３）記載のカラー現像用組成物。
（５）  ハロゲン化銀写真感光材料のカラー現像用処理剤であって、該カラー現像用処理剤に含まれるカラー現像用組成物が複数の濃縮液パートから成り、複数の濃縮液パートのうち少なくとも1パートが、トリアジニル−４，４'−ジアミノスチルベン系蛍光増白剤を含有し、トリイソプロパノールアミンを０．３モル／リットル以上含有し、かつ芳香族第1級アミンカラー現像主薬を含有しない濃縮液組成物であり、酸素透過性が５０ｍｌ／ｍ2・ｄａｙ・ａｔｏｍ（２０℃、６５ＲＨ％）以下の包材の容器に収納されていることを特徴とするカラー現像用処理剤。
【００１１】
トリイソプロパノールアミンは、特開昭４８−４３８１３号、同４８−６８２３１号、同４８−３０４９９号に黒白現像液及び拡散転写用組成物に用いることが開示されているが、カラー現像液に用いた例は開示されていない。
特定濃度のトリイソプロパノールアミンの添加により、濃縮液パートにおけるトリアジニル−４，４′−ジアミノスチルベン系蛍光増白剤の安定性及び溶解性が特異的に向上することは、全く予期せぬ発見であった。
更に、蛍光増白剤含有濃縮液パートの防カビ性が著しく向上する事実はまさに驚くべきことであった。
上記効果は、トリイソプロパノールアミンとトリアジニル−４，４′−ジアミノスチルベン系蛍光増白剤の相互作用によって生じるものと考えられるがその作用の詳細は不明である。
【００１２】
以下、本発明について詳細に説明する。
本発明において、カラー現像濃縮液組成物は、複数のパートから成る。複数とは２パート以上であり、好ましくは２〜５パート、より好ましくは２〜４パート、最も好ましくは２〜３パートである。
本発明において、複数パートのうち、少なくとも１パートが、トリアジニル−４，４′−ジアミノスチルベン系蛍光増白剤及びトリイソプロパノールアミンを０．３モル／リットル以上含有し、芳香族第１級アミンカラー現像主薬を含有しない。
３パート構成の場合は、他のパートの１つは芳香族第１級アミンカラー現像主薬を含有するものであり、もう１つは、アルカリ剤を含有するものである。
２パート構成の場合は、他の１つのパートは、芳香族第１級アミンカラー現像主薬を含有するものである。なお、アルカリ剤はいずれのパートに含有させてもよい。
トリアジニル−４，４′−ジアミノスチルベン系蛍光増白剤の好ましい化合物は、下記一般式〔ＳＲ−ａ〕で示される。
【００１３】
【化１】
0003710007.tif 000002
【００１４】
Ｘ1 及びＹ1 はヒドロキシ基、炭素数１〜４のアルコキシ基（例えばメトキシ基、エトキシ基、メトキシエトキシ基など）、アミノ基、炭素数が１〜６のアルキルアミノ基（例えばメチルアミノ基、エチルアミノ基、プロピルアミノ基、ジメチルアミノ基、シクロヘキシルアミノ基、β−ヒドロキシエチルアミノ基、ジ（β−ヒドロキシエチル）アミノ基、β−スルホエチルアミノ基、Ｎ−（β−スルホエチル）−Ｎ−メチルアミノ基など）、アリールオキシ基（例えばフェノキシ基、ｐ−スルホフェニル基など）、アリールアミノ基（例えばアニリノ基、ｏ−、ｍ−、ｐ−スルホアニリノ基、ｏ−、ｍ−、ｐ−クロロアニリノ基、ｏ−、ｍ−、ｐ−トルイジノ基、ｏ−、ｍ−、ｐ−カルボキシアニリノ基、ｏ−、ｍ−、ｐ−アニシジノ基、ｏ−、ｍ−、ｐ−ヒドロキシアニリノ基など）を表わす。
Ｍは水素原子又は一価の陽イオンを表わす。
【００１５】
一般式〔ＳＲ−ａ〕の中でも下記一般式〔ＳＲ−ｂ〕及び一般式〔ＳＲ−ｃ〕で示される化合物が特に好ましい。
【００１６】
【化２】
0003710007.tif 000003
【００１７】
一般式〔ＳＲ−ｂ〕中、Ｘ2 およびＹ2 は同一でも異なっていてもよく−ＯＲ1 または−ＮＲ2 Ｒ3 （Ｒ1 、Ｒ2 およびＲ3 はそれぞれ水素原子またはアルキル基）で表され、以下の条件▲１▼または▲２▼の少なくとも一つを満足する。
▲１▼  一般式〔ＳＲ−ｂ〕における４つの置換基Ｌ1 およびＬ2 が一般式〔Ａ〕群から選ばれた置換基を合計４つ以上含有する。
▲２▼  一般式〔ＳＲ−ｂ〕における４つの置換基Ｌ1 およびＬ2 が一般式〔Ａ〕群から選ばれた置換基を合計２つ有し、かつ一般式〔Ｂ〕群から選ばれた置換基を合計２つ以上有する。
【００１８】
【化３】
0003710007.tif 000004
【００１９】
一般式〔Ａ〕群中、Ｚはハロゲン原子、Ｒはアルキル基（置換基を有していてもよい）を表す。
また、一般式〔ＳＲ−ｂ〕および〔Ａ〕において、Ｍは水素原子、アルカリ土類金属、アンモニウムまたはピリジニウムを表す。
【００２０】
【化４】
0003710007.tif 000005
【００２１】
一般式〔ＳＲ−ｃ〕中、Ｘ3 及びＹ3 は、−ＯＲ8 又は−ＮＲ9 Ｒ10で表され、それぞれ同一でも異なっていても良い。ここでＲ8 、Ｒ9 およびＲ10は水素原子、アルキル基（置換基を有していてもよい）を表す。
【００２２】
本発明において、一般式〔ＳＲ−ｃ〕で示される化合物が、溶解性、安定性という点で最も好ましい。
上記一般式〔ＳＲ−ａ〕、〔ＳＲ−ｂ〕、〔ＳＲ−ｃ〕で表される化合物の具体例を下記表１〜７に示す。
【００２３】
【表１】
0003710007.tif 000006
【００２４】
【表２】
0003710007.tif 000007
【００２５】
【表３】
0003710007.tif 000008
【００２６】
【表４】
0003710007.tif 000009
【００２７】
【表５】
0003710007.tif 000010
【００２８】
【表６】
0003710007.tif 000011
【００２９】
【表７】
0003710007.tif 000012
【００３０】
【表８】
0003710007.tif 000013
【００３１】
また、トリアジニル−４，４′−ジアミノスチルベン系蛍光増白剤は、上記一般式で示される化合物を２種類以上併用することも好ましく、また、市販のジアミノスチルベン系蛍光増白剤を併用することも好ましい。市販の化合物として例えば染色ノート第１９版（色染社）Ｐ．１６５〜Ｐ．１６８に記載されている。
【００３２】
一般式〔ＳＲ−ａ〕、〔ＳＲ−ｂ〕、〔ＳＲ−ｃ〕で示される化合物の濃縮液パート中への添加量は、好ましくは５〜３００ｇ／リットルであり、更に好ましくは７〜２５０ｇ／リットルであり、１０〜２００ｇ／リットルが特に好ましい。
【００３３】
本発明において、トリイソプロパノールアミンの濃縮液中への好ましい添加量は０．３〜２０モル／リットルであり、より好ましくは、０．５〜２０モル／リットル、１〜１０モル／リットルが特に好ましい。
２０モル／リットル以上は、濃縮液の粘性が高くなり、取り扱い性という点で好ましくない。
【００３４】
本発明において、芳香族第１級アミンカラー現像主薬を含有しないとは、濃縮液中１×１０-2モル／リットル以下の濃度であることを示し、好ましくは１×１０-2モル／リットル以下であり、全く含有しないことが最も好ましい。
【００３５】
本発明において、該トリアジニル−４，４′−ジアミノスチルベン系蛍光増白剤含有カラー現像濃縮液パートがナトリウムイオンを０．０２モル／リットル以上含有することが該蛍光増白剤の安定性及び溶解性の点で好ましい。
また該パートの防カビ性という点でも好ましい。これは、トリイソプロパノールアミンと該蛍光増白剤の相互作用を特異的に増大させていると考えられる。ナトリウムイオンは、より好ましくは０．０２〜２モル／リットル以上、更に好ましくは０．０４〜１モル／リットルであり、０．０５〜０．５モル／リットルが特に好ましい。
ナトリウムイオンの供給は、酢酸ナトリウム、リン酸ナトリウム、炭酸ナトリウム、亜硫酸ナトリウム、ほう酸ナトリウム、臭化ナトリウム、塩化ナトリウム、くえん酸ナトリウム、水酸化ナトリウム、硝酸ナトリウムなどで添加することができる。また、エチレンジアミン四酢酸等のアミノポリカルボン酸の対塩やジアミノスチルベン系蛍光増白剤の対塩として添加することができる。
【００３６】
本発明において該トリアジニル−４，４′−ジアミノスチルベン系蛍光増白剤含有カラー現像濃縮液パートが塩化物イオンを０．０２モル／リットル以上含有することが、該蛍光増白剤の安定性及び溶解性の点で好ましい。
また、該パートの防カビ性という点でも好ましい。これは、トリイソプロパノールアミンと該蛍光増白剤の相互作用を特異的に増大させていると考えられる。塩化物イオンは、より好ましくは０．０２〜２モル／リットル以上、更に好ましくは０．０４〜１モル／リットルであり、０．０５〜０．５モル／リットルが特に好ましい。
塩化物イオンの供給は、塩化カリウム、塩化ナトリウム、塩化リチウム、塩化カルシウム、塩化マグネシウムなどで添加することができる。
【００３７】
本発明において、該トリアジニル−４，４′−ジアミノスチルベン系蛍光増白剤含有カラー現像濃縮液パートがＮ，Ｎ−ジエチルヒドロキシルアミンを０．３モル／リットル以上含有することが、該蛍光増白剤の安定性及び溶解性の点で好ましい。
また該パートの防カビ性という点でも好ましい。これは、トリイソプロパノールアミンと該蛍光増白剤の相互作用を特異的に増大させていると考えられる。
Ｎ，Ｎ−ジエチルヒドロキシルアミンは、より好ましくは０．４〜４モル／リットルであり、０．５〜２モル／リットルが特に好ましい。
本発明において、濃縮液は水によって通常２〜１００倍に希釈して用いる。
【００３８】
本発明に使用される該濃縮液パートの容器の材質は、紙、プラスチック、金属等いかなる材質でも用いることができるが、特に酸素透過係数が５０ミリリットル／m2・atm ・day 以下のプラスチック材料が好ましい。尚、酸素透過係数は「Ｏ2 パーミエイション・オブ・プラスチック・コンティナー、モダーン・パッキング」（O2 permeation of plastic container, Modern Packing; N. J. Calyan、１９６８）の１２月号、第１４３〜１４５頁に記載の方法により測定することができる。
好ましいプラスチック材料としては、具体的には塩化ビニリデン（ＰＶＤＣ）、ナイロン（ＮＹ）、ポリエチレン（ＰＥ）、ポリプロピレン（ＰＰ）、ポリエステル（ＰＥＳ）、エチレン−酢酸ビニル共重合体（ＥＶＡ）、エチレン−ビニルアルコール共重合体（ＥＶＡＬ）、ポリアクリロニトリル（ＰＡＮ）、ポリビニルアルコール（ＰＶＡ）、ポリエチレンテレフタレート（ＰＥＴ）等を挙げることができる。
本発明では、酸素透過性を低減する目的で、ＰＶＤＣ、ＮＹ、ＰＥ、ＥＶＡ、ＥＶＡＬおよびＰＥＴの使用が好ましい。
これらの材料は単一で使用し、整形して使用されても良いし、フィルム状にし、複数種貼り合わせて使用する方法（いわゆる複合フィルム）を用いても良い。また、容器の形状としては、瓶タイプ、キュービックタイプ、ピロータイプ等の各種形状を使用することができるが、本発明はフレキシブルで取扱性が容易で使用後減容化が可能なキュービックタイプ及びこれに類する構造が特に好ましい。
また、複合フィルムとして使用する場合は下記に示す構造が特に好ましいが、これらに限定されるものではない。ＰＥ／ＥＶＡＬ／ＰＥ、ＰＥ／アルミニウム箔／ＰＥ、ＮＹ／ＰＥ／ＮＹ、ＮＹ／ＰＥ／ＥＶＡＬ、ＰＥ／ＮＹ／ＰＥ／ＷＶＡＬ／ＰＥ、ＰＥ／ＮＹ／ＰＥ／ＰＥ／ＰＥ／ＮＹ／ＰＥ、ＰＥ／ＳＩＯ2 膜／ＰＥ、ＰＥ／ＰＶＤＣ／ＰＥ、ＰＥ／ＮＹ／アルミニウム箔／ＰＥ、ＰＥ／ＰＰ／アルミニウム箔／ＰＥ、ＮＹ／ＰＥ／ＰＶＤＣ／ＮＹ、ＮＹ／ＥＶＡＬ／ＰＥ／ＥＶＡＬ／ＮＹ、ＮＹ／ＰＥ／ＥＶＡＬ／ＮＹ、ＮＹ／ＰＥ／ＰＶＤＣ／ＮＹ／ＥＶＡＬ／ＰＥ、ＰＰ／ＥＶＡＬ／ＰＥ、ＰＰ／ＥＶＡＬ／ＰＰ、ＮＹ／ＥＶＡＬ／ＰＥ、ＮＹ／アルミニウム箔／ＰＥ、紙／アルミニウム箔／ＰＥ、紙／ＰＥ／アルミニウム箔／ＰＥ、ＰＥ／ＰＶＤＣ／ＮＹ／ＰＥ、ＮＹ／ＰＥ／アルミニウム箔／ＰＥ、ＰＥＴ／ＥＶＡＬ／ＰＥ、ＰＥＴ／アルミニウム箔／ＰＥ、ＰＥＴ／アルミニウム箔／ＰＥＴ／ＰＥ。
【００３９】
上記複合フィルムの厚みは５〜１５００ミクロン程度であり、好ましくは１０〜１０００ミクロン程度である。また、完成容器の内容量は１００ミリリットル〜２０リットル、好ましくは５００ミリリットル〜１０リットル程度である。
上記容器は、ダンボールやプラスチックの外箱を有しても良く、外箱と一体形成にて作成されていても良い。
【００４０】
従来からの処理液用容器として、高密度ポリエチレン（ＨＤＰＥ）、ポリ塩化ビニル樹脂（ＰＶＣ）、ポリエチレンテレフタレート（ＰＥＴ）等の１層材料や、ナイロン／ポリエチレン（ＮＹ／ＰＥ）の様な多層材質を用いた剛性のある容器を使用することができる。
また、内容物を排出して空になった後に、容器の減容化、即ち、所要スペースを減少させやすい柔軟性を有する液体用容器を使用することができる。
本発明において、上記柔軟性を有する容器を用いることが好ましい。上記柔軟性を有する容器の具体例として、柔軟性を有する容器本体から上方へ突出した硬質の口部がこれに係合する蓋部材により開閉される液体用容器であって、容器本体と口部が一体成形されると共に、容器本体の高さ方向の少なくとも一部に蛇腹部を有する容器（特開平７−５６７０号公報に記載の図１、図２）をあげることができる。
【００４１】
以下、上記蛇腹部を有する柔軟性容器について説明する。
容器型状は、蛇腹部を有するものであり、水平断面が角型、例えば略四角型（図１）、略六角型、略八角型、または丸型（図２）、楕円型などがある。
内容物存在下での所要スペース減少という点で略四角型または略六角型が好ましい。蛇腹部（凹凸部）の数は、凸部が２〜２０個が好ましく、３〜１０個が更に好ましく、４〜８個が特に好ましい。
蛇腹部の凹凸の程度に特に制限はないが、凸部の外周寸法に対して、凹部の外周寸法が８５％以下、好ましくは４０〜７５％、より好ましくは、５０〜７５％である。
蛇腹部を押し縮める前の容器本体の全高に対する蛇腹部を完全に押し縮めた容器本体の全高の割合が５０％以下となることが好ましく、より好ましくは４０％以下特に好ましくは１０〜３０％である。この割合は１０％以上であることが製造上設計上好ましい。
【００４２】
上記液体容器は、用いる材質及び原料を変えることにより、必要なガスバリア性を持たせることができる。例えば、現像液等のように高い酸素バリアー性を要する場合は、低密度ポリエチレン／ポリビニルアルコール、エチレン共重合体／低密度ポリエチレン（ＬＤＰＥ／ＥＶＯＨ／ＬＤＰＥ）の３層構成や、低密度ポリエチレン／ナイロン（ＬＤＰＥ／ＮＹ）の層構成等のような低密度ポリエチレンを主体とする多層構成により形成し、ガスバリア性が２５ml／m2・day ・atm （２０℃  ６５％）以下、好ましくは０．５〜１０ml／m2・day ・atm （２０℃６５％）となるようにすることができる。
例えば、漂白液等のように必ずしも酸素バリアー性を要しない場合、低密度ポリエチレン（ＬＤＰＥ）単体あるいは、エチレン・酢酸ビニル共重合樹脂（ＥＶＡ）を用いて形成することができる。ここで低密度ポリエチレンとしては、密度０．９４０ｇ／cc以下、好ましくは０．９０〜０．９４ｇ／cc、より好ましくは０．９０５〜０．９２５ｇ／ccのものを用いることができる。この場合、ガスバリア性は５０ml／m2・day ・atm （２０℃  ６５％）以上、例えば１００〜５０００ml／m2・day ・atm （２０℃  ６５％）とすることができる。
容器口部、フランジ部及びこれらの近傍の平均肉厚は、好ましくは１〜４mm、より好ましくは１〜３mm、特に好ましくは１．２〜２．５mmとなるように形成され、容器本体の肉厚は、好ましくは０．１〜１．５mm、より好ましくは０．２〜１．０mm、特に好ましくは０．３〜０．７mmとなる様に形成され、両者の差が好ましくは０．２mm、より好ましくは０．５mm程度になるようにされる。
【００４３】
容器の内容積（cm3)に対する容器の表面積（cm2)の割合は、蛇腹構造により増大するが、好ましくは０．３〜１．５cm-1、更に好ましくは０．４〜１．２cm-1、特に０．５〜１．０cm-1であることが好ましい。
上記容器に液を充填する際、ヘッドスペース（容器内上部の処理液がない空間のスペース）が少ないことが液安定性向上という点で好ましいが、ヘッドスペースが少なすぎると、充填時や使用時の液溢れが起こり易くなる。上記容器への液充填率は、好ましくは６５〜９５％、より好ましくは７０〜９０％である。
【００４４】
上記容器のキャップあるいは中栓は、容器本体と同一の材質で形成されていることが、使用後の容器の再生リサイクルのための選別が容易であるという点で好ましい。材質及び原料を変えることにより、前記した本体と同様にし、必要なガスバリア性を持たせることができる。
上記容器の内容積は特に制限はないが、取り扱い性という点で５０ml〜５リットルであることが好ましい。
以下に、蛇腹部を有する柔軟性を有する処理液用容器Ａ〜Ｄの具体例を挙げる。
【００４５】
0003710007.tif 000014
【００４６】
0003710007.tif 000015
【００４７】
以下、本発明のトリアジニル−４，４′−ジアミノスチルベン系蛍光増白剤含有濃縮液パート組成物について説明する。
【００４８】
本発明において、本発明の該濃縮液パート組成物は、実質的にベンジルアルコールを含有しないことが好ましい。ここで、実質的に含有しないとは、好ましくは２ml／リットル以下、更に好ましくは０．５ml／リットル以下であり、最も好ましくは全く含有しないことである。
【００４９】
本発明において、本発明の該濃縮液パート組成物は、実質的にヒドロキシルアミンを含有しないことが好ましい。ここで実質的に含有しないとは、１０ミリモル／リットル以下であり、好ましくは４ミリモル／リットル以下であり、最も好ましくは全く含有しないことである。
【００５０】
本発明において、本発明の該濃縮液パート組成物は、Ｎ，Ｎ−ジエチルヒドロキシルアミンの他に必要に応じて下記一般式（Ｉ）で示される化合物を含有することができる。
一般式（Ｉ）
【００５１】
【化５】
0003710007.tif 000016
【００５２】
一般式（Ｉ）中、Ｒ1 、Ｒ2 は、水素原子、無置換もしくは置換アルキル基、無置換もしくは置換アルケニル基、無置換もしくは置換アリール基、またはヘテロ芳香族基を表わす。Ｒ1 とＲ2 は同時に水素原子になることはなく、互いに連結して窒素原子と一緒にヘテロ環を形成してもよい。ヘテロ環の環構造としては、５〜６員環であり、炭素原子、水素原子、ハロゲン原子、酸素原子、窒素原子、硫黄原子等によって構成され、飽和でも不飽和でもよい。
Ｒ1 、Ｒ2 がアルキル基またはアルケニル基の場合が好ましく、炭素原子は１〜１０が好ましく、特に１〜５が好ましい。Ｒ1 とＲ2 が連結して形成される含窒素ヘテロ環としてはピペリジル基、ピロリジリル基、Ｎ−アルキルピペラジル基、モルホリル基、インドリニル基、ベンズトリアゾール基などが挙げられる。本発明における一般式（Ｉ）の化合物の具体例を以下に挙げるが、本発明がこれらに限定されるものではない。
【００５３】
【化６】
0003710007.tif 000017
【００５４】
【化７】
0003710007.tif 000018
【００５５】
また、上記化合物の本発明の濃縮液パートへの好ましい添加量は、０．０１モル／リットル〜１０モル／リットルである。
本発明において、一般式（Ｉ）の化合物に加えて他の有機保恒剤を必要に応じて添加することができる。
ここで有機保恒剤とは、カラー写真感光材料の処理液へ添加することで、芳香族第一級アミンカラー現像主薬の劣化速度を減じる有機化合物全般を指す。即ち、カラー現像主薬の空気などによる酸化を防止する機能を有する有機化合物類であるが、中でも、ヒドロキサム酸類、ヒドラジン類、ヒドラジド類、フェノール類、α−ヒドロキシケトン類、α−アミノケトン類、糖類、モノアミン類、ジアミン類、ポリアミン類、四級アンモニウム塩類、ニトロキシラジカル酸、アルコール類、オキシム類、ジアミド化合物類、縮環式アミン類などが特に有効な有機保恒剤である。これらは、特公昭４８−３０４９６号、特開昭５２−１４３０２０号、同６３−４２３５号、同６３−３０８４５号、同６３−２１６４７号、同６３−４４６５５号、同６３−５３５５１号、同６３−４３１４０号、同６３−５６６５４号、同６３−５８３４６号、同６３−４３１３８号、同６３−１４６０４１号、同６３−４４６５７号、同６３−４４６５６号、米国特許第３，６１５，５０３号、同２，４９４，９０３号、特開平１−９７９５３号、同１−１８６９３９号、同１−１８６９４０号、同１−１８７５５７号、同２−３０６２４４号などに開示されている。その他保恒剤として、特開昭５７−４４１４８号及び同５７−５３７４９号に記載の各種金属類、特開昭５９−１８０５８８号記載のサリチル酸類、特開昭６３−２３９４４７号、特開昭６３−１２８３４０号、特開平１−１８６９３９号や同１−１８７５５７号に記載されたようなアミン類、特開昭５４−３５３２号記載のアルカノールアミン類、特開昭５６−９４３４９号記載のポリエチレンイミン類、米国特許第３，７４６，５４４号等記載の芳香族ポリヒドロキシ化合物等を必要に応じて用いても良い。
好ましい添加量は、一般式（Ｉ）の化合物と同様である。
【００５６】
本発明において、本発明の該濃縮液パート組成物は、必要に応じて芳香族ポリヒドロキシ化合物を含有することができる。
一般に、芳香族ポリヒドロキシ化合物は、お互いにオルト位に位置する少なくとも２個のヒドロキシ基を芳香族環上に有している化合物である。また好ましくは、これらのポリヒドロキシ化合物は、お互いにオルト位に位置する少なくとも２個のヒドロキシ基を芳香族環上に有しており、かつ環外不飽和を保有していない化合物である。本発明における広範囲の芳香族ポリヒドロキシ化合物のなかには、ベンゼン及びナフタレン化合物などの様な下記一般式（II）で表わされる化合物が含まれている。
一般式（II）
【００５７】
【化８】
0003710007.tif 000019
【００５８】
一般式（II）において、Ｚはベンゼン又はナフタレンの芳香核を完成するのに必要な原子団を表わす。
上記化合物には、ヒドロキシ置換基に加えて例えば、スルホ基、カルボキシ基又はハロゲン原子のごとき基又は原子によって置換されていてもよい。
本発明において好ましく用いられる芳香族ポリヒドロキシ化合物の一般的な例は、下記の様なものがある。
II−１  ピロカテコール
II−２  ４，５−ジヒドロキシ−ｍ−ベンゼン−１，３−ジスルホン酸
II−３  ４，５−ジヒドロキシ−ｍ−ベンゼン−１，３−ジスルホン酸・二ナトリウム塩
II−４  テトラブロモピロカテコール
II−５  ピロガロール
II−６  ５，６−ジヒドロキシ−１，２，４−ベンゼントリスルホン酸ナトリウム
II−７  没食子酸
II−８  没食子酸メチル
II−９  没食子酸プロピル
II−10  ２，３−ジヒドロキシナフタレン−６−スルホン酸
II−11  ２，３，８−トリヒドロキシナフタレン−６−スルホン酸
これらの化合物は該濃縮液中への好ましい添加量は、０．０００１〜１０モル／リットルである。
【００５９】
本発明において、本発明の該濃縮液パート組成物は、必要に応じて各種緩衝剤を含有することができる。
緩衝剤としては、炭酸塩、リン酸塩、ホウ酸塩、四ホウ酸塩、ヒドロキシ安息香酸塩、グリシル塩、Ｎ，Ｎ−ジメチルグリシン塩、ロイシン塩、ノルロイシン酸、グアニン塩、３，４−ジヒドロキシフェニルアラニン塩、アラニン塩、アミノ酪酸塩、２−アミノ−２−メチル−１，３−プロパンジオール塩、バリン塩、プロリン塩、トリスヒドロキシアミノメタン塩、リシン塩などを用いることができる。
これらの緩衝剤の具体例としては、炭酸ナトリウム、炭酸カリウム、重炭酸ナトリウム、重炭酸カリウム、リン酸三ナトリウム、リン酸三カリウム、リン酸二ナトリウム、リン酸二カリウム、ホウ酸ナトリウム、ホウ酸カリウム、四ホウ酸ナトリウム（ホウ砂）、四ホウ酸カリウム、ｏ−ヒドロキシ安息香酸ナトリウム（サリチル酸ナトリウム）、ｏ−ヒドロキシ安息香酸カリウム、５−スルホ−２−ヒドロキシ安息香酸ナトリウム（５−スルホサリチル酸ナトリウム）、５−スルホ−２−ヒドロキシ安息香酸カリウム（５−スルホサリチル酸カリウム）などを挙げることができる。
上記化合物の本発明の該濃縮液パートへの添加量は、好ましくは０．０１モル／リットル〜４モル／リットルである。
【００６０】
本発明において、本発明の該濃縮液パート組成物は、必要に応じて各種キレート剤を含有することができる。
例えば、ニトリロ三酢酸、ジエチレントリアミン五酢酸、エチレンジアミン四酢酸、Ｎ，Ｎ，Ｎ−トリメチレンホスホン酸、エチレンジアミン−Ｎ，Ｎ，Ｎ′，Ｎ′−テトラメチレンホスホン酸、トランスシロヘキサンジアミン四酢酸、１，２−ジアミノプロパン四酢酸、グリコールエーテルジアミン四酢酸、エチレンジアミンオルトヒドロキシフェニル酢酸、２−ホスホノブタン−１，２，４−トリカルボン酸、１−ヒドロキシエチリデン−１，１−ジホスホン酸、Ｎ，Ｎ′−ビス（２−ヒドロキシベンジル）エチレンジアミン−Ｎ，Ｎ′−ジ酢酸、ヒドロキシエチルイミノジ酢酸等が挙げられる。これらのキレート剤は必要に応じて２種以上併用しても良い。
これらのキレート剤の添加量は、好ましくは０．００１モル／リットル〜１モル／リットルである。
【００６１】
本発明において、本発明の該濃縮液パート組成物は、必要に応じて現像促進剤を含有することができる。
現像促進剤としては、特公昭３７−１６０８８号、同３７−５９８７号、同３８−７８２６号、同４４−１２３８０号、同４５−９０１５号及び米国特許第３，３１８，２４７号等に表わされるチオエーテル系化合物、特開昭５２−４９８２９号及び同５０−１５５５４号に表わされるｐ−フェニレンジアミン系化合物、特開昭５０−１３７７２６号、特公昭４４−３００７４号、特開昭５６−１５６８２６号及び同５２−４３４２９号等に表わされる４級アンモニウム塩類、米国特許第２，４９４，９０３号、同３，１２８，１８２号、同４，２３０，７９６号、同３，２５３，９１９号、特公昭４１−１１４３１号、米国特許第２，４８２，５４６号、同２，５９６，９２６号及び同３，５８２，３４６号等に記載のアミン系化合物、特公昭３７−１６０８８号、同４２−２５２０１号、米国特許第３，１２８，１８３号、特公昭４１−１１４３１号、同４２−２３８８３号及び米国特許第３，５３２，５０１号等に表わされるポリアルキレンオキサイド、その他１−フェニル−３−ピラゾリドン類、イミダゾール類、等を必要に応じて添加することができる。ベンジルアルコールについては前述したとおりである。
これらの化合物は、該濃縮液中に任意の量を添加できるが好ましくは０．００００１〜０．１モル／リットルである。
【００６２】
本発明において、本発明の該濃縮液パート組成物は、必要に応じてカブリ防止剤を含有することができる。
カブリ防止剤としては、塩化ナトリウム、臭化カリウム、沃化カリウムの如きアルカリ金属ハロゲン化物及び有機カブリ防止剤が使用できる。有機カブリ防止剤としては、例えばベンゾトリアゾール、６−ニトロベンズイミダゾール、５−ニトロイソインダゾール、５−メチルベンゾトリアゾール、５−ニトロベンゾトリアゾール、５−クロロ−ベンゾトリアゾール、２−チアゾリル−ベンズイミダゾール、２−チアゾリルメチル−ベンズイミダゾール、インダゾール、ヒドロキシアザインドリジン、アデニンの如き含窒素ヘテロ環化合物を代表例としてあげることができる。
これらの化合物は、該濃縮液中に任意の量を添加できるが好ましくは、０．００００１〜１モル／リットルである。
【００６３】
また、必要に応じて、各種界面活性剤を添加することができる。界面活性剤の具体例としては、特開平４−１９５０３７号記載の一般式（Ｉ）及び（II）の化合物、特開平４−８１７５０号記載の一般式（Ｉ）〜（Ｘ）の化合物等を挙げることができる。
また、上記化合物を添加することにより、カラー現像液及びカラー現像補充液の表面張力が２０〜６０dyne／cmとすることが好ましい。
処理槽中のタンクまたはラックと処理液と空気が接する部分への析出防止、特にカラー現像主薬の析出防止という点で、特開平５−３３３５０５号記載の一般式（Ｉ）の化合物を添加することが特に好ましい。
【００６４】
本発明において、本発明の該濃縮液のｐＨは、任意に調整できる。好ましくはｐＨ３〜１３であり、より好ましくは５〜１３、更に好ましくは７〜１２、９〜１２が特に好ましい。
【００６５】
本発明において、本発明のカラー現像用濃縮組成物は、カラーぺーパー、カラー反転ぺーパー、カラーオートポジぺーパー等、いかなる印画紙の処理剤にも適用することができる。
【００６６】
【実施例】
以下、本発明を実施例にしたがって説明するが、本発明の態様はこれらに限定されるものではない。
実施例−１
カラー現像用濃縮液のうち、蛍光増白剤含有パートを以下に示す様に調合した。
〔カラー現像用濃縮液パート〕
両イオン交換水                                              ４００ml
添加剤（第９表参照）                                      第９表参照
Ｎ，Ｎ−ジエチルヒドロキシルアミン                            １モル
蛍光増白剤（ＳＲ−７６）                                    ２００ｇ
ポリスチレンスルホン酸リチウム塩                              ５０ｇ
塩化ナトリウム                                            ０．１モル
両イオン交換水を加えて                                    １０００ml
ｐＨ                                                    １０．５０
【００６７】
上記カラー現像用濃縮液５００mlを前述の容器Ｂに入れ、蛍光増白剤の安定性、溶解性、防カビ性についてテストした。
テスト方法を以下に示す。
【００６８】
安定性テスト：上記サンプルを、６０℃恒温槽に２０日間保存し、蛍光増白剤の残存量を液体クロマトグラムを用いて定量した。結果は、添加量に対する残存率（％）として表わした。
【００６９】
溶解性テスト：上記サンプルを０℃恒温槽に１０日間保存し、析出の状況を目視にて確認した。
◎  全く析出なし
○  極少量の析出有り
△  少量の析出有り
×  多量の析出有り
また、蛍光増白剤の溶解量を液体クロマトグラムを用いて定量した。なお、析出のある場合は上積み液中の濃度を定量した。
【００７０】
防カビ剤：上記サンプルに、試験菌である糸状菌（カビ）を接種した後、２７℃で１４日間保存した。標準寒天培地に検液０．５mlを添加し、２７℃２４時間経時後に菌数を測定した。なお試験菌は、penicillium を用いた。
【００７１】
上記テスト結果を第９表に示す。
【００７２】
【表９】
0003710007.tif 000020
【００７３】
第９表の結果から、芳香族第１級アミンカラー現像主薬である、Ｎ−エチル−Ｎ（β−メタンスルホンアミドエチル）−３−メチル−４−アミノアニリンを含有せず、トリイソプロパノールアミンを０．３モル／リットル以上含有する場合、蛍光増白剤の安定性、溶解性、防カビ性共に良好な結果が得られている。
本発明の中でも、トリイソプロパノールアミンが０．５モル／リットル以上の場合、特に良好な結果が得られている。
【００７４】
実施例−２
カラー現像用濃縮液のうち蛍光増白剤含有パートを以下に示す様に調合した。
〔カラー現像用濃縮液パート〕
両イオン交換水                                              ４００ml
添加剤（第１０表参照）                                    ２．０モル
Ｎ，Ｎ−ジエチルヒドロキシルアミン                        ０．８モル
蛍光増白剤（ＳＲ−７６）                                    ３００ｇ
ポリスチレンスルホン酸リチウム塩                            １００ｇ
水酸化ナトリウム                                        第１０表参照
塩化リチウム                                            第１０表参照
両イオン交換水を加えて                                    １０００ml
ｐＨ                                                    １０．００
【００７５】
上記カラー現像用濃縮液５００mlを前述の容器Ｂに入れ、実施例−１と同様にして蛍光増白剤の安定性、溶解性、防カビ性についてテストした。
その結果を第１０表に示す。
【００７６】
【表１０】
0003710007.tif 000021
【００７７】
第１０表の結果から本発明の中でも、ナトリウムイオン及び／又は、塩化物イオンが０．０２モル／リットル以上の場合、特に好ましい結果が得られている。
【００７８】
実施例−３
カラー現像用濃縮液のうち、蛍光増白剤含有パートを以下に示す様に調合した。
〔カラー現像用濃縮液パート〕
両イオン交換水                                              ４００ml
添加剤−１（第１１表参照）                                ２．０モル
添加剤−２（第１１表参照）                                １．０モル
蛍光増白剤（ＳＲ−５）                                      ３００ｇ
塩化ナトリウム                                            ０．２モル
ジメチルシロキサン系界面活性剤                              ２．０ｇ
（シリコーンＫＦ３５１Ａ／信越化学工業社製）
両イオン交換水を加えて                                    １０００ml
ｐＨ                                                    １０．５０
【００７９】
上記カラー現像用濃縮液を前述の容器Ｂに入れ、実施例−１と同様にして、蛍光増白剤の安定性、溶解性、防カビ性についてテストした。
その結果を第１１表に示す。
【００８０】
【表１１】
0003710007.tif 000022
【００８１】
第１１表の結果から、本発明の中でもＮ，Ｎ−ジエチルヒドロキシルアミンを含有する場合、特に好ましい結果が得られている。
【００８２】
実施例−４
カラー現像用濃縮液のうち、蛍光増白剤含有パートを以下に示す様に調合した。
〔カラー現像用濃縮液パート〕
両イオン交換水                                              ４００ml
添加剤（第１２表参照）                                    ２．０モル
Ｎ，Ｎ−ジエチルヒドロキシルアミン                        ２．０モル
蛍光増白剤（ＳＲ−７２）                                    ３００ｇ
塩化ナトリウム                                            ０．５モル
ジメチルシロキサン系界面活性剤                              ３．０ｇ
（シリコーンＫＦ３５１Ａ／信越化学工業社製）
両イオン交換水を加えて                                    １０００ml
ｐＨ                                                      １１．０
【００８３】
上記カラー現像用濃縮液を前述の容器Ａに入れた。ただし、容器は、材質の種類（ＰＥの密度及び厚さ）により第１２表に示す様に酸素透過性を変化させた。
実施例−１と同様にして、蛍光増白剤の安定性及び防カビ性についてテストした。
その結果を第１２表に示す。
【００８４】
【表１２】
0003710007.tif 000023
【００８５】
第１２表の結果から、本発明の中でも容器の材質の酸素透過性が５０ml／m2・ｄａｙ・ａｔｍ（２０℃６５％）の場合、特に好ましい結果が得られている。
【００８６】
実施例−５
以下に示す方法により、カラー印画紙を作製した。
（支持体の作製）
ＭＲＦ＝３の低密度ポリエチレンに、二酸化チタンを３０重量％添加し、またステアリン酸亜鉛を二酸化チタン量に対して３．０重量％の割合で含有させ、群青（第一化成工業製  ＤＶ−１）と共にバンバリーミキサー中で混練後溶融押し出しに使用した。二酸化チタンは電子顕微鏡で０．１５μｍ〜０．３５μｍで水和酸化アルミニウムのコーティング量がＡｌ2 Ｏ3 の形で二酸化チタンに対して０．７５重量％のものを用いた。
秤量１７０ｇ／m2の紙基体に１０ｋＶＡのコロナ処理後、上記二酸化チタン３０重量％のポリエチレン組成物と、同様に作製した二酸化チタン１８重量％のポリエチレン組成物および二酸化チタン３０重量％のポリエチレン組成物を含有せず群青を含有したポリエチレンを多層押し出しコーティングダイを用いて３２０℃で溶融押し出しを行ない、上層２μｍ（二酸化チタン１８重量％）、中間層２１μｍ（３０重量％）、下層１０μｍ（０重量％）（下層が紙基体側を意味する。）の膜厚でポリエチレンラミネート層を設けた。このポリエチレン層表面はグロー放電処理を行なった。
【００８７】
（カラー印画紙の作製）
上記反射支持体の上に種々の写真構成層を塗布して以下に示す層構成の多層カラー印画紙を作製した。塗布液は下記のようにして調製した。
【００８８】
第三層塗布液調製
マゼンタカプラー（ＥｘＭ）４０．０ｇ、紫外線吸収剤（ＵＶ−２）４０．０ｇ、色像安定剤（Ｃｐｄ−２）７．５ｇ、色像安定剤（Ｃｐｄ−５）２５．０ｇ、色像安定剤（Ｃｐｄ−６）２．５ｇ、色像安定剤（Ｃｐｄ−７）２０．０ｇ、色像安定剤（Ｃｐｄ−８）２．５ｇ、色像安定剤（Ｃｐｄ−１０）５．０ｇを、溶媒（Ｓｏｌｖ−３）３２．５ｇ、溶媒（Ｓｏｌｖ−４）９７．５ｇ、溶媒（Ｓｏｌｖ−６）６５．０ｇ及び酢酸エチル１１０ccに溶解し、この溶液を１０％ドデシルベンゼンスルホン酸ナトリウム９０ccを含む７％ゼラチン水溶液１５００ｇに乳化分散させて乳化分散物Ａ−１を調製した。一方、塩臭化銀乳剤Ｂ−１（立方体、平均粒子サイズ０．５５μｍの大サイズ乳剤と０．３９μｍの小サイズ乳剤の１：３混合物（銀モル比）。粒子サイズ分布の変動係数は、それぞれ０．０８と０．０６、各サイズ乳剤とも臭化銀０．８モル％を塩化銀を基体とする粒子表面の一部に局在含有させた。粒子内部と臭化銀局在層にヘキサクロロイリジウム（ＩＶ）酸カリウムを合わせて０．１mg、およびフェロシアン化カリウムを合わせて１．０mg含有させた。）が調製された。この乳剤は、下記に示す緑感性増感色素Ｄ、Ｅ、Ｆを大サイズ乳剤にはそれぞれ銀１モル当り３．０×１０-4、４．０×１０-5モル、２．０×１０-4添加し、小サイズ乳剤それぞれに、銀１モル当り３．６×１０-4、７．０×１０-5モル、２．８×１０-4添加したのち、硫黄増感剤と金増感剤を核酸の分解物存在下で添加し最適に化学増感を行なった。前記の乳化分散物Ａ−１とこの塩臭化銀乳剤Ｂ−１とを混合溶解し、以下に示す組成となるように第三層塗布液を調製した。
【００８９】
第一層から第七層用の他の塗布液も第三層塗布液と同様の方法で調製した。各層のゼラチン硬化剤としては、１−オキシ−３，５−ジクロロ−ｓ−トリアジンナトリウム塩を用いた。
また、各層にＣｐｄ−１２とＣｐｄ−１３をそれぞれ全量が２５．０mg／m2と５０．０mg／m2となるように添加した。
各感光性乳剤層の塩臭化銀乳剤は前記塩臭化銀乳剤Ｂ−１と同様の調製方法でサイズを調節し以下に示す分光増感色素をそれぞれ用いた。
青感性乳剤層
【００９０】
【化９】
0003710007.tif 000024
【００９１】
（ハロゲン化銀１モル当り、大サイズ乳剤に対しては各々、１．４×１０-4モル、又小サイズ乳剤に対しては各々、１．７×１０-4モル使用した。）
緑感性乳剤層
【００９２】
【化１０】
0003710007.tif 000025
【００９３】
（増感色素Ｄはハロゲン化銀１モル当り、大サイズ乳剤に対しては、３．０×１０-4モル、又小サイズ乳剤に対しては、３．６×１０-4モル、増感色素Ｅはハロゲン化銀１モル当り、大サイズ乳剤に対しては、４．０×１０-5モル、又小サイズ乳剤に対しては、７．０×１０-5モル、増感色素Ｆはハロゲン化銀１モル当り、大サイズ乳剤に対しては、２．０×１０-4モル、又小サイズ乳剤に対しては、２．８×１０-4モル添加した。）
赤感性乳剤層
【００９４】
【化１１】
0003710007.tif 000026
【００９５】
（増感色素Ｇをハロゲン化銀１モル当り、大サイズ乳剤に対しては、４．０×１０-5モル、又小サイズ乳剤に対しては、５．０×１０-5モル、増感色素Ｈをハロゲン化銀１モル当り、大サイズ乳剤に対しては、５．０×１０-5モル、又小サイズ乳剤に対しては、６．０×１０-5モル添加した。）
更に、下記の化合物を赤感性ハロゲン化銀乳剤にハロゲン化銀１モル当り２．６×１０-3モル添加した。
【００９６】
【化１２】
0003710007.tif 000027
【００９７】
また青感光性乳剤層、緑感光性乳剤層、赤感光性乳剤層にたいし、１−（５−メチルウレイドフェニル）−５−メルカプトテトラゾールをそれぞれハロゲン化銀１モル当たり８．５×１０-4、３．０×１０-3、２．５×１０-4モル添加した。
また青感性乳剤層と緑感性乳剤層に対し、４−ヒドロキシ−６−メチル−１，３，３ａ，７−テトラザインデンをそれぞれハロゲン化銀１モル当り、１×１０-4、２×１０-4添加した。
【００９８】
更に、イラジェーション防止のために、乳剤層に下記の染料（カッコ内は塗布量を表す。）を添加した。
【００９９】
【化１３】
0003710007.tif 000028
【０１００】
（層構成）
以下に各層の組成を示す。数字は塗布量（ｇ／m2）を表す。ハロゲン化銀乳剤は銀換算塗布量を表す。
支持体（Ａ）
第一層側の樹脂層に青味染料（群青）を含む。
【０１０１】
第一層（青感性乳剤層）
塩臭化銀乳剤Ａ−１                                          ０．２７
（立方体、平均粒子サイズ０．８８μｍの大サイズ乳剤と０．７０μｍの小サイズ乳剤の５：５混合物（銀モル比）。粒子サイズ分布の変動係数は、それぞれ０．０８と０．１０、各サイズ乳剤とも臭化銀０．３モル％を塩化銀を基体とする粒子表面の一部に局在含有させた。粒子内部と臭化銀局在層にヘキサクロロイリジウム（ＩＶ）酸カリウムを合わせて０．１mg、およびフェロシアン化カリウムを合わせて１．０mg含有させた。）
ゼラチン                                                    １．２２
イエローカプラー（ＥｘＹ）                                  ０．７９
色像安定剤（Ｃｐｄ−１）                                    ０．０８
色像安定剤（Ｃｐｄ−２）                                    ０．０４
色像安定剤（Ｃｐｄ−３）                                    ０．０８
色像安定剤（Ｃｐｄ−５）                                    ０．０１
溶媒（Ｓｏｌｖ−１）                                        ０．１３
溶媒（Ｓｏｌｖ−５）                                        ０．１３
【０１０２】
第二層（混色防止層）
ゼラチン                                                    ０．９０
混色防止剤（Ｃｐｄ−４）                                    ０．０８
溶媒（Ｓｏｌｖ−１）                                        ０．１０
溶媒（Ｓｏｌｖ−２）                                        ０．１５
溶媒（Ｓｏｌｖ−３）                                        ０．２５
溶媒（Ｓｏｌｖ−８）                                        ０．０３
【０１０３】
第三層（緑感性乳剤層）
前記塩臭化銀乳剤Ｂ−１                                      ０．１３
ゼラチン                                                    １．４５
マゼンタカプラー（ＥｘＭ）                                  ０．１６
紫外線吸収剤（ＵＶ−２）                                    ０．１６
色像安定剤（Ｃｐｄ−２）                                    ０．０３
色像安定剤（Ｃｐｄ−５）                                    ０．１０
色像安定剤（Ｃｐｄ−６）                                    ０．０１
色像安定剤（Ｃｐｄ−７）                                    ０．０８
色像安定剤（Ｃｐｄ−８）                                    ０．０１
色像安定剤（Ｃｐｄ−１０）                                  ０．０２
溶媒（Ｓｏｌｖ−３）                                        ０．１３
溶媒（Ｓｏｌｖ−４）                                        ０．３９
溶媒（Ｓｏｌｖ−６）                                        ０．２６
【０１０４】
第四層（混色防止層）
ゼラチン                                                    ０．６８
混色防止剤（Ｃｐｄ−４）                                    ０．０６
溶媒（Ｓｏｌｖ−１）                                        ０．０７
溶媒（Ｓｏｌｖ−２）                                        ０．１１
溶媒（Ｓｏｌｖ−３）                                        ０．１８
溶媒（Ｓｏｌｖ−８）                                        ０．０２
【０１０５】
第五層（赤感性乳剤層）
塩臭化銀乳剤Ｃ−１
（立方体、平均粒子サイズ０．５０μｍの大サイズ乳剤と、０．４１μｍの小サイズ乳剤との１：４混合物（銀モル比）。粒子サイズ分布の変動係数は、それぞれ０．０９と０．１１、各サイズ乳剤とも臭化銀０．８モル％を塩化銀を基体とする粒子表面の一部に局在含有させた。更に粒子内部と臭化銀局在層に銀一モル当りヘキサクロロイリジウム（ＩＶ）酸カリウムを合わせて０．３mg、およびフェロシアン化カリウムを合わせて１．５mg含有させた。）        ０．１８
ゼラチン                                                    ０．８０
シアンカプラー（ＥｘＣ）                                    ０．３３
紫外線吸収剤（ＵＶ−２）                                    ０．１８
色像安定剤（Ｃｐｄ−１）                                    ０．３３
色像安定剤（Ｃｐｄ−２）                                    ０．０３
色像安定剤（Ｃｐｄ−６）                                    ０．０１
色像安定剤（Ｃｐｄ−８）                                    ０．０１
色像安定剤（Ｃｐｄ−９）                                    ０．０２
色像安定剤（Ｃｐｄ−１０）                                  ０．０１
溶媒（Ｓｏｌｖ−１）                                        ０．０１
溶媒（Ｓｏｌｖ−７）                                        ０．２２
【０１０６】
第六層（紫外線吸収層）
ゼラチン                                                    ０．４８
紫外線吸収剤（ＵＶ−１）                                    ０．３８
色像安定剤（Ｃｐｄ−５）                                    ０．０１
色像安定剤（Ｃｐｄ−７）                                    ０．０５
溶媒（Ｓｏｌｖ−９）                                        ０．０５
【０１０７】
第七層（保護層）
ゼラチン                                                    ０．９０
ポリビニルアルコールのアクリル変性共重合体（変性度１７％）  ０．０５
流動パラフィン                                              ０．０２
色像安定剤（Ｃｐｄ−１１）                                  ０．０１
【０１０８】
【化１４】
0003710007.tif 000029
【０１０９】
【化１５】
0003710007.tif 000030
【０１１０】
【化１６】
0003710007.tif 000031
【０１１１】
【化１７】
0003710007.tif 000032
【０１１２】
【化１８】
0003710007.tif 000033
【０１１３】
【化１９】
0003710007.tif 000034
【０１１４】
上記感光材料を、富士写真フイルム社製フジミニラボぺーパープリンタープロセッサーＰＰ１８２７ＶＲ（搬送の線速度２５００mm／分）を用い、下記処理工程で連続処理を行ったところ、良好なランニング性能が得られた。
【０１１５】
処理工程        温      度      時  間        補充量
カラー現像      ３８．５℃      ４５秒        ４５ml／m2
漂白定着        ３８．０℃      ４５秒        ３５ml／m2
リンス（１）    ３８．０℃      ２０秒          −
リンス（２）    ３８．０℃      ２０秒          −
リンス（３）    ３８．０℃      ２０秒          −
リンス（４）    ３８．０℃      ３０秒      １７５ml／m2
リンスは（４）から（１）への４タンク向流方式とした。
〔カラー現像〕
パートＡ
両イオン交換水                                              ４００ml
トリイソプロパノールアミン                                ２．０モル
Ｎ，Ｎ−ジエチルヒドロキシルアミン                        １．０モル
化合物（Ｉ−７）                                          １．０モル
蛍光増白剤（ＳＲ−７６）                                    １００ｇ
蛍光増白剤（ＳＲ−５）                                      １００ｇ
塩化ナトリウム                                            ０．２モル
ポリスチレンスルホン酸リチウム塩                              ５０ｇ
ジメチルシロキサン系界面活性剤                                  ５ｇ
（シリコーンＫＦ３５１Ａ／信越化学社製）
化合物Ａ                                                        ５ｇ
両イオン交換水を加えて                                    １０００ml
ｐＨ                                                    １０．５０
【０１１６】
【化２０】
0003710007.tif 000035
【０１１７】
パートＢ
両イオン交換水                                              ７００ml
Ｎ−エチル−Ｎ（β−メタンスルホンアミドエチル）−３−
メチル−４−アミノアニリン・３／２硫酸・１水塩            ２５０ｇ
亜硫酸ナトリウム                                                ４ｇ
両イオン交換水を加えて                                    １０００ml
ｐＨ                                                      １．１２
パートＣ
両イオン交換水                                              ２００ml
水酸化カリウム                                              ２５０ｇ
エチレンジアミン四酢酸                                      １００ｇ
炭酸カリウム                                                ５２５ｇ
両イオン交換水を加えて                                    １０００ml
ｐＨ                                                      １５．８
カラー現像タンク液
水                                                          ８００ml
パートＡ                                                      ４０ml
パートＢ                                                      ２５ml
パートＣ                                                      ５０ml
塩化カリウム                                              １０．０ｇ
臭化カリウム                                            ０．０４０ｇ
炭酸水素ナトリウム                                        １０．０ｇ
水を加えて                                                １０００ml
ｐＨ                                                    １０．１５
カラー現像補充液
水                                                          ７００ml
パートＡ                                                      ５０ml
パートＢ                                                      ５０ml
パートＣ                                                      ５０ml
水を加えて                                                １０００ml
ｐＨ                                                    １２．５０
【０１１８】
〔漂白定着〕
パートＡ
水                                                          ５００ml
エチレンジアミン四酢酸                                      ２．０ｇ
エチレンジアミン四酢酸第二鉄アンモニウム塩              １８０．０ｇ
ｍ−カルボキシメチルベンゼンスルフィン酸                  ５０．０ｇ
水を加えて                                                １０００ml
ｐＨ                                                        ６．０
パートＢ
水                                                          ３００ml
硝酸（６７％）                                                ６０ｇ
イミダゾール                                                  ６０ｇ
チオ硫酸アンモニウム（７５０ｇ／リットル）                  ４５０ml
亜硫酸アンモニウム                                          １００ｇ
水を加えて                                                １０００ml
ｐＨ                                                        ６．０
【０１１９】
漂白定着タンク液
水                                                          ４００ml
パートＡ                                                    ２５０ml
パートＢ                                                    ２５０ml
水を加えて                                                １０００ml
ｐＨ                                                        ６．３
漂白定着補充液
パートＡ                                                    ５００ml
パートＢ                                                    ５００ml
計                                                      １０００ml
ｐＨ                                                        ６．０
【０１２０】
〔リンス〕（タンクと補充液共通）
塩素化イソシアヌール酸ナトリウム                          ０．０２ｇ
脱イオン水（導電率５μｓ／cm以下）                        １０００ml
ｐＨ                                                        ６．５
【０１２１】
【発明の効果】
本発明によって、蛍光増白剤の安定性及び溶解性が著しく向上したカラー現像用濃縮液パートを供給することができる。また、防カビ性に優れたカラー現像用蛍光増白剤含有濃縮液パートを提供することができる。